(57)【要約】【課題】電源に異常が発生したときにバックアップすべきデータを保存する電子機器において、構成が複雑でなく十分な小型化を図ることができる。【解決手段】プリンタ１０では、電源に異常が発生したとき、メインコントローラ２０はバックアップすべきデータをバックアップ専用マイコン３０に送信し、バックアップ専用マイコン３０はそのバックアップすべきデータを受信すると共にバックアップ用コンデンサ３６の電気エネルギをＬＤＯ３４を介して消費しつつそのデータをＥＥＰＲＯＭ３８，５８に保存する。このように、電源に異常が発生したときにバックアップ専用マイコン３０が消費する電気エネルギは、電源供給源の切り換え動作を行うことなくバックアップ用コンデンサ３６から供給される。したがって、電源供給源の切り換え動作が必要な場合に比べて、構成が複雑でなく十分な小型化を図ることができる。【選択図】図１
2008140233.tif 000002
【特許請求の範囲】
【請求項１】
データを保存可能な不揮発性メモリと、
バックアップすべきデータを前記不揮発性メモリに保存するバックアップ制御手段と、
電源から直接又は間接的に得られる所定の直流電圧を入力し前記バックアップ制御手段を駆動する第１直流電圧に変換し該バックアップ制御手段に出力する第１直流電圧生成手段と、
前記第１直流電圧生成手段の入力側に接続され、前記所定の直流電圧が印加されることにより蓄電されるバックアップ用コンデンサと、
前記バックアップ制御手段にデータを送信可能に接続され、前記電源から前記バックアップ用コンデンサ及び前記第１直流電圧生成手段を介することなく得られる第２直流電圧により駆動されるメイン制御手段と、
を備え、
前記電源に異常が発生したときには、前記メイン制御手段は、バックアップすべきデータを前記バックアップ制御手段に送信し、前記バックアップ制御手段は、前記バックアップすべきデータを受信して前記バックアップ用コンデンサの電気エネルギを前記第１直流電圧生成手段を介して消費しつつ前記不揮発性メモリに前記データを保存する、
電子機器。
【請求項２】
前記電源と前記第１直流電圧生成手段との間に設けられ、前記電源から前記所定の直流電圧より高い高圧の直流電圧を入力し前記所定の直流電圧に降圧して前記第１直流電圧生成手段へ出力する所定直流電圧生成手段と、
前記電源と前記メイン制御手段との間に設けられ、前記電源から前記高圧の直流電圧を入力し前記第２直流電圧に降圧して前記メイン制御手段へ出力する第２直流電圧生成手段と、
を備え、
前記メイン制御手段は、前記高圧の直流電圧が所定の下限値を下回ったときに前記電源に異常が発生したと判定する、
請求項１に記載の電子機器。
【請求項３】
請求項２に記載の電子機器であって、
前記バックアップ用コンデンサは、前記所定直流電圧生成手段と前記第１直流電圧生成手段とを繋ぐ電線の途中に設けられた分岐点に前記所定の直流電圧が印加されるように接続され、
該分岐点の直前には前記所定直流電圧生成手段から前記分岐点へ電流が流れるのを許容し逆方向に流れるのを禁止するダイオードを備えている、
請求項２に記載の電子機器。
【請求項４】
前記第１直流電圧生成手段は、ロー・ドロップアウト・レギュレータである、
請求項１〜３のいずれかに記載の電子機器。
【請求項５】
前記不揮発性メモリは、前記バックアップ用コンデンサの電気エネルギを前記第１直流電圧生成手段を介して消費可能である、
請求項１〜４のいずれかに記載の電子機器。
【請求項６】
前記メイン制御手段に制御されるプリント機構
を備え、
前記不揮発性メモリは、機器本体及び前記プリント機構の一構成要素である着色剤カートリッジの少なくとも一方に取り付けられている、
請求項１〜５のいずれかに記載の電子機器。
【発明の詳細な説明】
【技術分野】
【０００１】
本発明は、電子機器に関し、詳しくは電源に異常が発生したときにバックアップすべきデータを保存する電子機器に関する。
【背景技術】
【０００２】
従来より、電源に異常が発生したとき、バックアップすべきデータを保存する電子機器が知られている。例えば、特許文献１に記載された電子機器では、電源ユニットへの商用電源が停止したことを検出すると、切換部は電源供給線に供給する直流電源供給源を交流−直流交換部の出力から簡易バックアップ電源に切り換え、補助記憶装置電源制御部は補助記憶装置内の電源供給源を電源供給線から補助電源に切り換える。そして、総合処理部は、主記憶部から補助記憶装置の高速バッファへのデータ退避処理を行い、補助記憶装置電源制御部は、高速バッファから不揮発性記憶装置へのデータ書き込み処理を行う。こうすることにより、電源に異常が発生したときに総合処理部がデータ退避処理のみならずデータ書き込み処理まで行う場合に比べて、簡易バックアップ電源の容量を少なくすることが可能となる。
【特許文献１】特開２００４−３４８６４１号公報
【発明の開示】
【発明が解決しようとする課題】
【０００３】
しかしながら、こうした電子機器では、電源に異常が発生したときに切換部により直流電源供給源を切り換えたり補助記憶装置の電源供給源を切り換える必要があるため、装置構成が複雑になりやすく十分な小型化を図ることが難しいという問題があった。
【０００４】
本発明は、上述した問題を解決するためになされたものであり、電源に異常が発生したときにバックアップすべきデータを保存する電子機器において、構成が簡素で十分な小型化を図ることができるものを提供することを目的とする。
【課題を解決するための手段】
【０００５】
本発明は、上述の目的の少なくとも一つを達成するために以下の手段を採った。
【０００６】
本発明の電子機器は、
データを保存可能な不揮発性メモリと、
バックアップすべきデータを前記不揮発性メモリに保存するバックアップ制御手段と、
電源から直接又は間接的に得られる所定の直流電圧を入力し前記バックアップ制御手段を駆動する第１直流電圧に変換し該バックアップ制御手段に出力する第１直流電圧生成手段と、
前記第１直流電圧生成手段の入力側に接続され、前記所定の直流電圧が印加されることにより蓄電されるバックアップ用コンデンサと、
前記バックアップ制御手段にデータを送信可能に接続され、前記電源から前記バックアップ用コンデンサ及び前記第１直流電圧生成手段を介することなく得られる第２直流電圧により駆動されるメイン制御手段と、
を備え、
前記電源に異常が発生したときには、前記メイン制御手段は、バックアップすべきデータを前記バックアップ制御手段に送信し、前記バックアップ制御手段は、前記バックアップすべきデータを受信して前記バックアップ用コンデンサの電気エネルギを前記第１直流電圧生成手段を介して消費しつつ前記不揮発性メモリに前記データを保存するものである。
【０００７】
この電子機器では、電源に異常が発生したとき、メイン制御手段はバックアップすべきデータをバックアップ制御手段に送信し、バックアップ制御手段はそのバックアップすべきデータを受信すると共にバックアップ用コンデンサの電気エネルギを第１直流電圧生成手段を介して消費しつつそのデータを不揮発性メモリに保存する。このように、電源に異常が発生したときにバックアップ制御手段が消費する電気エネルギは、電源供給源の切り換え動作を行うことなくバックアップ用コンデンサから供給される。したがって、電源供給源の切り換え動作が必要な場合に比べて、構成が簡素で十分な小型化を図ることができる。もとより、電源に異常が発生したとしてもメイン制御手段はバックアップ用コンデンサの電気エネルギを消費しないため、その分バックアップ用コンデンサを小型化することができる。
【０００８】
なお、不揮発性メモリとは、電源を切っても記憶内容を保持することができるメモリをいい、例えばフラッシュメモリのような半導体メモリのほか、ＨＤＤのような磁気ディスクなどが挙げられる。また、電源に異常が発生したとは、停電等により電源から電力を供給できなくなった場合のほか、電源そのものは正常だがその電源から電子機器へ電力を供給するラインに異常が生じて電力を供給できなくなった場合も含む。
【０００９】
本発明の電子機器は、前記電源と前記第１直流電圧生成手段との間に設けられ、前記電源から前記所定の直流電圧より高い高圧の直流電圧を入力し前記所定の直流電圧に降圧して前記第１直流電圧生成手段へ出力する所定直流電圧生成手段と、前記電源と前記メイン制御手段との間に設けられ、前記電源から前記高圧の直流電圧を入力し前記第２直流電圧に降圧して前記メイン制御手段へ出力する第２直流電圧生成手段と、を備え、前記メイン制御手段は、前記高圧の直流電圧が所定の下限値を下回ったときに前記電源に異常が発生したと判定してもよい。こうすれば、電源に異常が発生したことを確実に検出することができる。なお、所定の下限値は、例えば電源からの電力供給が継続しているときには取り得ない値に設定してもよい。このとき、前記バックアップ用コンデンサは、前記所定直流電圧生成手段と前記第１直流電圧生成手段とを繋ぐ電線の途中に設けられた分岐点に前記所定の直流電圧が印加されるように接続され、該分岐点の直前には前記所定直流電圧生成手段から前記分岐点へ電流が流れるのを許容し逆方向に流れるのを禁止するダイオードが設けられていてもよい。こうすれば、所定直流電圧生成手段の出力電圧が何らかの原因で低下してゼロ又はそれに近い値になったとしても、バックアップ用コンデンサの電圧がすぐに低下してしまうことはない。
【００１０】
本発明の電子機器において、前記第１直流電圧生成手段は、ロー・ドロップアウト・レギュレータ（ＬＤＯ）であってもよい。こうすれば、第１直流電圧生成手段としてＤＣ／ＤＣコンバータを採用する場合に比べて、機器全体をより小型にすることができる。
【００１１】
本発明の電子機器において、前記不揮発性メモリは、前記バックアップ用コンデンサの電気エネルギを前記第１直流電圧生成手段を介して消費可能としてもよい。こうすれば、バックアップすべきデータを保存する場合の不揮発性メモリの電源をバックアップ用コンデンサとは別に用意する必要がない。
【００１２】
本発明の電子機器は、前記メイン制御手段に制御されるプリント機構を備え、前記不揮発性メモリは、機器本体及び前記プリント機構の一構成要素である着色剤カートリッジの少なくとも一方に取り付けられていてもよい。こうすれば、電源に異常が生じたときにプリント機構に関する情報（例えば着色剤の残量や発熱状況、通電時間など）が不揮発性メモリに保存されるため、電源が正常に戻ったあと再び印刷する場合に便利である。
【発明を実施するための最良の形態】
【００１３】
次に、本発明の実施の形態を図面に基づいて説明する。図１は、本発明の一実施形態であるプリンタ１０の構成の概略を示す構成図である。
【００１４】
本実施形態のプリンタ１０は、図１に示すように、商用交流電源に接続される電源ユニット１２と、プリント機構５０を内蔵するプリンタ本体１８とを備えている。
【００１５】
電源ユニット１２は、商用交流電源１３を交流−直流変換回路１５により４２Ｖの直流電圧に変換し、その４２Ｖの直流電圧を電源供給線１４を介してプリンタ本体１８に供給する。この電源ユニット１２の内部には、電圧波形の余計な振動を除去して滑らかな波形にするための平滑コンデンサ１６が電源供給線１４に接続されている。平滑コンデンサ１６の容量は４２Ｖの電源品質によって決定すればよく、例えば２２０μＦ／５０Ｖとしてもよい。なお、商用交流電源１３の交流電圧は、例えば１００Ｖとか２００Ｖである。
【００１６】
プリンタ本体１８は、電源供給線１４を介して４２Ｖの直流電圧が供給されるプリント機構５０と、このプリント機構５０を制御するメインコントローラ２０と、メインコントローラ２０と双方向通信を行うと共に不揮発性メモリであるＥＥＰＲＯＭ３８，５８にデータを保存するバックアップ専用マイコン３０と、電源供給線１４の４２Ｖの直流電圧を変換してＬＤＯ（ロー・ドロップアウト・レギュレータ）３４やメインコントローラ２０に出力するＤＣ／ＤＣコンバータ３２と、このＤＣ／ＤＣコンバータ３２から出力される５Ｖの直流電圧をバックアップ専用マイコン３０の駆動電圧である３．３Ｖの直流電圧に降圧してバックアップ専用マイコン３０に出力するＬＤＯ３４と、このＬＤＯ３４の入力側に接続されたバックアップ用コンデンサ３６とを備えている。
【００１７】
プリント機構５０は、プリンタ本体１８の内部に配置され、左右方向にループ状に架け渡されたタイミングベルト５１により駆動されガイド５２に沿って左右に往復動するキャリッジ５３と、このキャリッジ５３に搭載されシアン・マゼンタ・イエロー・ブラック等の各色のインクを個別に収容したインクカートリッジ５４と、各インクカートリッジ５４から供給された各インクに圧力をかけてノズルから用紙Ｐに向かってインクを吐出する印刷ヘッド５５と、給紙された用紙Ｐを手前側の排紙トレイ（図示せず）へ送り出す搬送ローラ５６とを備えている。印刷ヘッド５５は、ここでは圧電素子に電圧をかけることによりこの圧電素子を変形させてインクを加圧する方式を採用しているが、発熱抵抗体（例えばヒータなど）に電圧をかけインクを加熱して発生した気泡によりインクを加圧する方式を採用してもよい。このプリント機構５０のうち、搬送ローラ５６を回転させるモータやタイミングベルト５１を回転させるモータ、印刷ヘッド５５を駆動する駆動回路などには、電源供給線１４からの４２Ｖの直流電圧が供給される。
【００１８】
メインコントローラ２０は、ＣＰＵ２２を中心とするマイクロプロセッサとして構成されており、各種処理プログラムや各種データなどを記憶したＲＯＭ２４と、一時的にデータを記憶するＲＡＭ２６と、電源供給線１４の直流電圧を図示しないＡ／Ｄ変換回路を介して入力し所定の下限電圧と比較して電源供給線１４の直流電圧が下限電圧を下回ったときに割込信号（ＮＭＩ）である停電発生信号を出力する電源異常検出センサ２８とを備えている。このメインコントローラ２０は、ＣＰＵ２２等を１つのチップに混載することによりＳＯＣ（システム・オン・ア・チップ）としてもよい。また、下限電圧は、電源ユニット１２が正常なときには取り得ない値に設定してもよく、例えば３７Ｖとか３８Ｖとしてもよい。
【００１９】
バックアップ専用マイコン３０は、メインコントローラ２０からバックアップすべきデータを受信してプリンタ本体１８に搭載されたＥＥＰＲＯＭ３８にそのデータを保存したり、インクカートリッジ５４のＩＣチップ５７に搭載されたＥＥＰＲＯＭ５８にそのデータの一部であるインク残量を保存したりする。このバックアップ専用マイコン３０は、図示しない電源スイッチがオンされたときに、ＥＥＰＲＯＭ５８からインク残量を読み出してメインコントローラ２０へ送信する。このように、バックアップ専用マイコン３０は、メインコントローラ２０と双方向通信が可能となっている。
【００２０】
ＤＣ／ＤＣコンバータ３２は、電源供給線１４から４２Ｖの直流電圧を入力し５Ｖの直流電圧に降圧してＬＤＯ（ロー・ドロップアウト・レギュレータ）３４へ出力する。また、ＤＣ／ＤＣコンバータ３２は、電源供給線１４から４２Ｖの直流電圧を入力しメインコントローラ２０の駆動電圧である３．３Ｖの直流電圧に降圧してメインコントローラ２０に出力する。
【００２１】
ＬＤＯ３４は、ＤＣ／ＤＣコンバータ３２からの５Ｖの直流電圧をバックアップ専用マイコン３０の駆動電圧である３．３Ｖの直流電圧に降圧してバックアップ専用マイコン３０に出力する。
【００２２】
バックアップ用コンデンサ３６は、ＤＣ／ＤＣコンバータ３２とＬＤＯ３４との間にダイオード３７を介して接続され、ＬＤＯ３４の入力側の直流電圧（５Ｖ）が電極間に印加されることにより電気エネルギを蓄積する。このバックアップ用コンデンサ３６の容量は、バックアップ専用マイコン３０がＥＥＰＲＯＭ３８，５８へデータを保存するのに要する時間やそのときの消費電流を考慮して決定すればよく、例えば１０００μＦ／６．３Ｖとしてもよい。また、ダイオード３７は、ＤＣ／ＤＣコンバータ３２からＬＤＯ３４やバックアップ用コンデンサ３６へ向かう電流の流れを許容するが、これと逆方向の流れを禁止する。
【００２３】
次に、こうして構成された本実施形態のプリンタ１０の動作、特に停電や電源コードのコンセント抜け等のように電源ユニット１２に異常が発生したときの動作について説明する。図２は、停電や図示しない電源コードのコンセント抜け等により電源供給線１４の直流電圧が所定の下限電圧を下回ったときのプリンタ１０におけるシーケンスチャートである。
【００２４】
電源供給線１４の直流電圧が所定の下限電圧を下回ると、電源異常検出センサ２８は停電発生信号をＣＰＵ２２に出力する（ステップＳ１１０）。この停電発生信号を受信したＣＰＵ２２は、ＲＡＭ２４に記憶されている各種データのうちバックアップすべきデータを読み出し、それらをバックアップ専用マイコン３０へ送信する（ステップＳ１２０）。すると、バックアップ専用マイコン３０は、受信したそれらのデータを図示しない高速バッファに一時記憶する。メインコントローラ２０からバックアップ専用マイコン３０へのデータの受け渡しに要する時間は非常に短く、通常は１〜２ｍｓｅｃ程度である。ここで、電源供給線１４の４２Ｖの直流電圧が所定の下限電圧（３７Ｖとか３８Ｖ）を下回ったあと数Ｖ（例えば６Ｖ程度）に落ちるまでには僅かながら時間がかかり、その時間はバックアップすべきデータの受け渡しに要する時間よりも長い。このため、ＣＰＵ２２が電源異常検出センサ２８から停電発生信号を入力したあとも、メインコントローラ２０には数ｍｓｅｃの間、ＤＣ／ＤＣコンバータ３２を介して電力が供給され、バックアップすべきデータをバックアップ専用マイコン３０へ送信することが可能となる。
【００２５】
一方、バックアップ専用マイコン３０は、受信したバックアップすべきデータをＥＥＰＲＯＭ３８，５８へ書き込む（ステップＳ１３０）。この書き込みに要する時間は、通常は３００ｍｓｅｃ程度である。ここで、電源供給線１４の電圧が所定の下限電圧を下回ることによりＤＣ／ＤＣコンバータ３２からＬＤＯ３４へ５Ｖの直流電圧が入力されなくなったとしても、ＬＤＯ３４の入力側に接続されているバックアップ用コンデンサ３６に蓄積された電気エネルギがＬＤＯ３４を介してバックアップ専用マイコン３０やプリンタ本体１８に搭載されたＥＥＰＲＯＭ３８，インクカートリッジ５４に搭載されたＥＥＰＲＯＭ５８へ供給される。このバックアップ用コンデンサ３６の電気エネルギが消費されるまでに要する時間は、バックアップ専用マイコン３０がＥＥＰＲＯＭ３８，５８へバックアップすべきデータを書き込む時間よりも長くなるようにバックアップ用コンデンサ３６の容量が設定されている。このため、ＣＰＵ２２が電源異常検出センサ２８から停電発生信号を入力したあとも、バックアップ専用マイコン３０やＥＥＰＲＯＭ３８，５８にはＬＤＯ３４を介してバックアップ用コンデンサ３６の電気エネルギが供給され、バックアップすべきデータをＥＥＰＲＯＭ３８，５８へ保存し終えることが可能となる。また、ＤＣ／ＤＣコンバータ３２とＬＤＯ３４とを繋ぐ電線の途中に設けられた分岐点（バックアップ用コンデンサ３６へ分岐する点）の直前にダイオード３７が設けられている。このため、バックアップ用コンデンサ３６の電圧は、ＤＣ／ＤＣコンバータ３２の出力電圧が何らかの原因で低下してゼロ又はそれに近い値になったとしても、すぐに低下してしまうことはない。
【００２６】
なお、バックアップすべきデータとしては、例えば、インクカートリッジ５４のインク残量、プリント機構５０の各部における発熱状況、プリンタ１０の通電時間、プリント機構５０のメカの固有情報、印刷ヘッド５５の固有情報、エラーコードなどが挙げられる。インク残量は、次のようにして更新される。すなわち、図示しない電源スイッチがオンされたとき、バックアップ専用マイコン３０がインクカートリッジ５４のＥＥＰＲＯＭ５８からインク残量を読み込んでメインコントローラ２０に送信する。すると、メインコントローラ２０がそのインク残量を元のインク残量として記憶する一方、予め定められた１ドットあたりのインク消費量とインクを吐出したドットのカウント数とを乗じることにより今回のインク消費量を算出し、元のインク残量から今回のインク消費量を差し引いた値を新たなインク残量とする。また、プリンタ本体１８に搭載されたＥＥＰＲＯＭ３８には、これらのバックアップすべきデータのすべてが保存されるが、インクカートリッジ５４に搭載されたＥＥＰＲＯＭ５８には、これらのうちカートリッジに関連する情報（例えばインク残量）のみが保存される。
【００２７】
図３は、本実施形態のプリンタ１０において、電源ユニット１２に異常が発生したときの各部の電圧の時間変化を表すタイムチャートである。図３に示すように、電源供給線１４の電圧は、停電や図示しない電源コードのコンセント抜け等の異常が発生すると、平滑コンデンサ１６の容量はバックアップ電源としての使用を考慮していないため、急激に低下してゼロに至る。一方、ダイオード３７のカソード電圧（ＬＤＯ３４の入力電圧）は、電荷が蓄積されたバックアップ用コンデンサ３６に接続されているため、異常発生後もバックアップ用コンデンサ３６の容量に基づく時間だけ維持される。このため、ＬＤＯ３４の出力電圧も、ダイオード３７のカソード電圧が低下するまではそのまま維持される。そして、異常発生の検出後にバックアップ専用マイコン３０がＥＥＰＲＯＭ３８，５８へのデータ保存を行う。ここで、ＥＥＰＲＯＭ３８，５８へのデータ保存に必要なバックアップ用コンデンサ３６の容量は、下記式（１）により算出される。式（１）でＣはコンデンサ容量、ΔＶはダイオード３７のカソード電圧とＬＤＯ３４の出力電圧との差、消費電流はデータ保存に必要な電流、作業時間はデータ保存に必要な時間である。
Ｃ×ΔＶ＝消費電流×作業時間  …（１）
【００２８】
これに対して、たとえば図４に示すように、電源ユニット１２の平滑コンデンサ１６の代わりにバックアップを考慮した大容量のコンデンサ６６を採用し、停電などの異常発生時にはメインコントローラがＥＥＰＲＯＭへのデータ保存を行うとした場合には、図５に示すように、電源供給線１４の電圧は、図３に比べて緩やかに低下してゼロに至る。そして、異常発生の検出後にメインコントローラがＥＥＰＲＯＭへのデータ保存を行う。ここで、ＥＥＰＲＯＭへのデータ保存に必要なコンデンサ６６の容量は、下記式（２）から求めることができる。式（２）でＣはコンデンサ容量、Ｖａは所定の下限電圧、ＶｂはＤＣ／ＤＣコンバータの停止電圧（例えば５〜１０Ｖ）、消費電力は停電後の作業に必要な電力、作業時間はデータ保存に必要な時間（図３の場合と略同じ）である。式（１），（２）にコンデンサ６６は、本実施形態の平滑コンデンサ１６と比べて容量が３〜５倍程度、耐圧が５〜１０倍程度となる。つまり、本実施形態では、電源ユニット１２の平滑コンデンサ１６を図４のコンデンサ６６と比べて小型にすることができる。また、図３と図５から明らかなように、本実施形態の方が電源供給線１４の電圧低下が急激になるため、停電（異常）が発生してからその異常を検出するまでの時間は短時間となる。図５のように高電圧がコンデンサ６６に溜まっていると、例えば停電時にプリンタ本体のメカの電気的な切断に失敗したときにはモータ類がコンデンサ６６の電源供給を受けて回転し続けて異常に発熱したりするおそれがあるが、本実施形態ではそのようなおそれはない。
Ｃ（Ｖａ2−Ｖｂ2）／２＝消費電力×作業時間  …（２）
【００２９】
ここで、本実施形態の構成要素と本発明の構成要素との対応関係を明らかにする。本実施形態のＥＥＰＲＯＭ３８，５８が本発明の不揮発性メモリに相当し、バックアップ専用マイコン３０がバックアップ制御手段に相当し、ＬＤＯ３４が第１直流電圧生成手段に相当し、バックアップ用コンデンサ３６がバックアップ用コンデンサに相当し、メインコントローラ２０がメイン制御手段に相当する。また、ＤＣ／ＤＣコンバータ３２が所定直流電圧生成手段及び第２直流電圧生成手段に相当する。更に、電源ユニット１２が電源に相当し、５Ｖの直流電圧が所定の直流電圧に相当し、３．３Ｖの直流電圧が第１直流電圧及び第２直流電圧に相当し、４２Ｖの直流電圧が高圧の直流電圧に相当する。
【００３０】
以上詳述した本実施形態のプリンタ１０によれば、電源ユニット１２から電源供給線１４に出力される電圧が所定の下限電圧を下回ったとき、メインコントローラ２０はバックアップすべきデータをバックアップ専用マイコン３０に送信し、バックアップ専用マイコン３０はそのバックアップすべきデータを受信すると共にバックアップ用コンデンサ３６に蓄積されている電気エネルギをＬＤＯ３４を介して消費しつつそのデータをＥＥＰＲＯＭ３８，５８に保存する。このように、電源ユニット１２に異常が発生したときにバックアップ専用マイコン３０が消費する電気エネルギは、電源供給源の切り換え動作を行うことなくバックアップ用コンデンサ３６から供給される。したがって、電源供給源の切り換え動作が必要な場合に比べて、構成が簡素で十分な小型化を図ることができる。
【００３１】
また、電源供給線１４の電圧が下限電圧を下回ったとしても、メインコントローラ２０はバックアップ用コンデンサ３６の電気エネルギを消費しないため、その分バックアップ用コンデンサ３６を小型化することができる。
【００３２】
更に、ＤＣ／ＤＣコンバータ３２からバックアップ専用マイコン３０を駆動する電圧（３．３Ｖ）よりも高い電圧（５Ｖ）が入力される電圧変換手段としてＬＤＯ３４を採用しているため、ＤＣ／ＤＣコンバータを採用する場合に比べて、機器全体をより小型にすることができるし、コストが低くなる。また、バックアップ用コンデンサ３６はＬＤＯ３４の入力側の５Ｖが印加されるため、例えば電源供給線１４に接続され４２Ｖが印加される場合に比べて耐圧が低くてよく、その分小型化することができる。
【００３３】
更にまた、ＥＥＰＲＯＭ３８，５８は、バックアップ用コンデンサ３６の電気エネルギをＬＤＯ３４を介して消費可能に配線されているため、バックアップ用コンデンサ３６以外にＥＥＰＲＯＭ３８，５８に必要な電源を用意する必要がない。
【００３４】
そしてまた、電源に異常が生じたときにプリント機構５０に関する情報（例えばインク残量や発熱状況、通電時間など）がバックアップすべきデータとしてＥＥＰＲＯＭ３８，５８に保存されるため、電源が正常に戻ったあと再び印刷する場合に便利である。
【００３５】
なお、本発明は上述した実施形態に何ら限定されることはなく、本発明の技術的範囲に属する限り種々の態様で実施し得ることはいうまでもない。
【００３６】
例えば、上述した実施形態では、不揮発性メモリとしてＥＥＰＲＯＭを採用したが、電源を切っても記憶内容を保持することができるメモリであれば特にどのようなものを採用してもよく、例えばフラッシュメモリのような半導体メモリのほか、ＨＤＤのような磁気ディスクなどを用いてもよい。
【００３７】
上述した実施形態では、４２Ｖの直流電圧を一つのＤＣ／ＤＣコンバータ３２により５Ｖと３．３Ｖの直流電圧に降圧するようにしたが、別々のＤＣ／ＤＣコンバータにより５Ｖと３．３Ｖの直流電圧に降圧してもよい。
【００３８】
上述した実施形態では、ＤＣ／ＤＣコンバータ３２は４２Ｖの直流電圧を降圧するようにしたが、電源ユニット１２において商用交流電源１３を４２Ｖの直流電圧に変換する回路とは別にそれより低い直流電圧（例えば１５Ｖなど）に変換する回路を設け、その直流電圧をＤＣ／ＤＣコンバータ３２が５Ｖと３．３Ｖの直流電圧に降圧するようにしてもよい。
【００３９】
上述した実施形態では、本発明をインクジェット式のプリンタ１０に適用した場合を例示したが、電子写真方式のプリンタやドットインパクトプリンタなどに本発明を適用してもよいし、プリンタ以外に複合機やスキャナ、ファクシミリ装置などの他の電子機器に本発明を適用してもよい。
【００４０】
上述した実施形態において、図１の２点鎖線で囲ったバックアップ専用マイコン３０、ＬＤＯ３４及びＥＥＰＲＯＭ３８を１チップにしてもよい。
【図面の簡単な説明】
【００４１】
【図１】プリンタ１０の構成の概略を示す構成図。
【図２】電源の異常が発生したときのプリンタ１０におけるシーケンスチャート。
【図３】本実施形態における各部の電圧の時間変化を表すタイムチャート。
【図４】比較形態の概略構成を表す説明図。
【図５】図４の形態における各部の電圧の時間変化を表すタイムチャート。
【符号の説明】
【００４２】
１０  プリンタ、１２  電源ユニット、１３  商用交流電源、１４  電源供給線、１５  交流−直流変換回路、１６  平滑コンデンサ、１８  プリンタ本体、２０  メインコントローラ、２２  ＣＰＵ、２４  ＲＯＭ、２６  ＲＡＭ、２８  電源異常検出センサ、３０  バックアップ専用マイコン、３２  ＤＣ／ＤＣコンバータ、３４  ＬＤＯ、３６  バックアップ用コンデンサ、３７  ダイオード、３８  ＥＥＰＲＯＭ、５０  プリント機構、５１  タイミングベルト、５２  ガイド、５３  キャリッジ、５４  インクカートリッジ、５５  印刷ヘッド、５６  搬送ローラ、５７  ＩＣチップ、５８  ＥＥＰＲＯＭ。
【図１】
2008140233.tif 000003
【図２】
2008140233.tif 000004
【図３】
2008140233.tif 000005
【図４】
2008140233.tif 000006
【図５】
2008140233.tif 000007